(57)【要約】【課題】焼却施設内と外気とが接することがない遮断された状態で、定量ずつ廃棄物を燃焼室に投入することができる廃棄物投入装置及び小型焼却炉を提供する。【解決手段】小型焼却炉１００の廃棄物投入口１７０を外部から遮断及び開放可能に可動する開閉蓋６と、収納した廃棄物を廃棄物投入口１７０に投入できるように傾斜角度変更自在に設けられた廃棄物投入蓋５と、廃棄物投入蓋５によって開放及び閉塞される廃棄物搬入口３を備え、廃棄物投入蓋５によって廃棄物搬入口３が閉塞されたときに廃棄物投入口１７０を外気から遮断する筐体２と、廃棄物投入蓋５を廃棄物搬入口３を閉塞するように駆動した後、開閉蓋６を廃棄物投入口１７０を開放させるように駆動する駆動装置７とを有する廃棄物投入装置。【選択図】　　図１
2004093030.tif 000002
【特許請求の範囲】
【請求項１】
小型焼却炉の廃棄物投入口を外部から遮断及び開放可能に可動する開閉蓋と、
収納した廃棄物を前記廃棄物投入口に投入できるように傾斜角度変更自在に設けられた廃棄物投入蓋と、
前記廃棄物投入口の周囲を覆う筐体であって、前記廃棄物投入蓋の傾斜角度によって開放及び閉塞される廃棄物搬入口を備え、前記廃棄物投入蓋によって前記廃棄物搬入口が閉塞されたときに前記廃棄物投入口を外気から遮断する筐体と、
前記廃棄物搬入口を開放している前記廃棄物投入蓋を、前記廃棄物搬入口を閉塞すると共に収納している廃棄物を前記破棄物投入口に投入できる傾斜角度となるように駆動した後、前記廃棄物投入口を閉塞している前記開閉蓋を前記廃棄物投入口を開放させるように駆動する駆動装置とを有することを特徴とする廃棄物投入装置。
【請求項２】
請求項１記載の廃棄物投入装置において、
前記駆動装置が、前記開閉蓋に固定されている第１遊動プーリーと、前記第１遊動プーリーの上方に固定されている固定プーリーと、架線と、前記架線を上昇及び下降させるホイストとを備え、
前記架線が、前記廃棄物投入蓋の前端から前記固定プーリーの上側に掛け渡され、さらに前記第１遊動プーリーの下側に掛け渡されて前記ホイストに接続されてなることを特徴とする廃棄物投入装置。
【請求項３】
請求項１記載の廃棄物投入装置において、
前記駆動装置が、前記開閉蓋に固定されている第１遊動プーリーと、前記第１遊動プーリーの上方に固定されている固定プーリーと、前記廃棄物投入蓋に直接又は間接的に固定されている第２遊動プーリーと、架線と、前記架線を上昇及び下降させるホイストとを備え、
前記架線が、前記廃棄物投入蓋の上方の架線固定部から前記第２誘導プーリーの下側に掛け渡され、さらに前記固定プーリーの上側に掛け渡され、さらに前記第１遊動プーリーの下側に掛け渡されて前記ホイストに接続されてなることを特徴とする廃棄物投入装置。
【請求項４】
請求項１乃至３のいずれかに記載の廃棄物投入装置において、前記廃棄物投入蓋が、前記廃棄物搬入口を閉塞した傾斜角度で、回転が禁止されることを特徴とする廃棄物投入装置
【請求項５】
請求項１乃至４のいずれかに記載の廃棄物投入装置において、前記開閉蓋の重量が、前記廃棄物投入蓋の重量より重いことを特徴とする廃棄物投入装置。
【請求項６】
請求項１乃至５のいずれかに記載の廃棄物投入装置において、前記第１遊動プーリーの半径が前記固定プーリーの半径よりも小さいことを特徴とする廃棄物投入装置。
【請求項７】
請求項３に記載の廃棄物投入装置において、前記第１遊動プーリーの半径が前記第２遊動プーリーの半径よりも小さいことを特徴とする廃棄物投入装置。
【請求項８】
請求項１乃至７のいずれかに記載の廃棄物投入装置において、前記開閉蓋には断熱材が設けられていることを特徴とする廃棄物投入装置。
【請求項９】
請求項１乃至８のいずれかに記載の廃棄物投入装置において、
前記開閉蓋が、垂直方向に昇降する垂直昇降部と、斜めになっている前記廃棄物投入口を開放及び閉塞可能に可動する蓋部とで構成され、
これらの垂直昇降部と蓋部が一体に構成されていることを特徴とする廃棄物投入装置。
【請求項１０】
請求項１乃至８のいずれかに記載の廃棄物投入装置において、
前記開閉蓋が、垂直方向に昇降する垂直昇降部と、斜めになっている前記廃棄物投入口を開放及び閉塞可能に可動する蓋部とで構成され、
これらの垂直昇降部と蓋部が折曲可能に連結されていることを特徴とする廃棄物投入装置。
【請求項１１】
焼却する廃棄物を投入する廃棄物投入口を有する小型焼却炉本体と、請求項１乃至１０のいずれかに記載の廃棄物投入装置とを備えたことを特徴とする小型焼却炉。
【発明の詳細な説明】
【０００１】
【発明の属する技術分野】
本発明は、廃棄物投入装置及びそれを備えた小型焼却炉に関する。
【０００２】
【従来の技術】
一般家庭や小規模事業所などから出るプラスチック等の可燃物を焼却するために小型の焼却炉（以下、「小型焼却炉」という。）が用いられている。一方、このような小型焼却炉においても、ダイオキシンの発生量を抑制するため、構造規制がある。この構造規制としては、例えば、空気取り入れ口及び煙突の先端以外に焼却施設内と外気とが接することなく燃焼室において発生するガスの温度が８００℃以上の状態で、廃棄物を焼却できるものであること、外気と遮断された状態で、定量ずつ廃棄物を燃焼室に投入することができるものであること、などである（環境省令第８号（平成１４年１２月１日施行）廃棄物の処理及び清掃に関する法律施行規則の一部を改正する省令）。
【０００３】
そのため、従来より設置されている小型焼却炉においても、焼却施設内と外気とが接することなく外気と遮断された状態で、定量ずつ廃棄物を燃焼室に投入することができるものでなければならなくなる。
【０００４】
【発明が解決しようとする課題】
しかしながら、従来、焼却施設内と外気とが接することなく外気と遮断された状態で、定量ずつ廃棄物を燃焼室に投入することができる小型焼却炉及びこれに用いるための廃棄物投入装置は知られていない。
【０００５】
そこで、本発明は、焼却施設内と外気とが接することがない遮断された状態で、定量ずつ廃棄物を燃焼室に投入することができる廃棄物投入装置を提供することを目的とする。また、本発明は、かかる廃棄物投入装置を備えた小型焼却炉を提供することを目的とする。
【０００６】
【課題を解決するための手段】
（１）本発明の廃棄物投入装置は、小型焼却炉の廃棄物投入口を外部から遮断及び開放可能に可動する開閉蓋と、
収納した廃棄物を前記廃棄物投入口に投入できるように傾斜角度変更自在に設けられた廃棄物投入蓋と、
前記廃棄物投入口の周囲を覆い、前記廃棄物投入蓋の傾斜角度によって開放及び閉塞される廃棄物搬入口を備え、前記廃棄物投入蓋によって前記廃棄物搬入口が閉塞されたときに前記廃棄物投入口を外気から遮断する筐体と、
前記廃棄物搬入口を開放している前記廃棄物投入蓋を、前記廃棄物搬入口を閉塞すると共に収納している廃棄物を前記破棄物投入口に投入できる傾斜角度となるように駆動した後、前記廃棄物投入口を閉塞している前記開閉蓋を前記廃棄物投入口を開放させるように駆動する駆動装置とを有することを特徴とする。
【０００７】
この廃棄物投入装置は、焼却する廃棄物を廃棄物投入蓋に入れる。このとき、廃棄物投入口は開閉蓋によって外気から遮断されている一方、筐体の廃棄物搬入口は廃棄物投入蓋が開いているため、開口している。駆動装置を作動させると、まず、廃棄物投入蓋が廃棄物投入口を閉じる動作を行い、廃棄物投入蓋が傾斜する。その後、開閉蓋を動かして廃棄物投入口を開く動作を行う。廃棄物投入口が開くと、廃棄物投入蓋から廃棄物が自重で廃棄物投入口の中へ滑り落ちる。
【０００８】
これにより、廃棄物を廃棄物投入蓋に入れるときには廃棄物投入口は開閉蓋によって閉塞され、小型焼却炉内は外気から遮断されている。また、廃棄物を廃棄物投入蓋から廃棄物投入口へ投入するときには筐体の廃棄物搬入口は廃棄物投入蓋によって閉じられて外気から遮断されている。そのため、この廃棄物投入装置は、焼却施設内と外気とが接することがない遮断された状態で、定量ずつ廃棄物を燃焼室に投入することができる。
【０００９】
（２）上記（１）に記載の廃棄物投入装置においては、
前記駆動装置が、前記開閉蓋に固定されている第１遊動プーリーと、前記第１遊動プーリーの上方に固定されている固定プーリーと、架線と、前記架線を上昇及び下降させるホイストとを備え、
前記架線が、前記廃棄物投入蓋の前端から前記固定プーリーの上側に掛け渡され、さらに前記第１遊動プーリーの下側に掛け渡されて前記ホイストに接続されてなるものとすることができる。
【００１０】
このように構成することにより、ホイストで第１遊動プーリーに掛け渡されている架線を上昇させると、まず、廃棄物投入蓋を第１遊動プーリー及び固定プーリーを介して架線が引っ張り、廃棄物投入蓋を動かして廃棄物搬入口を閉じる動作を行う。廃棄物投入蓋が廃棄物搬入口を閉じると廃棄物投入蓋の回転動作が停止する。その後、ホイストが開閉蓋を引っ張り廃棄物投入口を開く動作を行う。これにより、この廃棄物投入装置は、焼却施設内と外気とが接することがない遮断された状態で、定量ずつ廃棄物を燃焼室に投入することができる。
【００１１】
（３）上記（１）に記載の廃棄物投入装置において、
前記駆動装置が、前記開閉蓋に固定されている第１遊動プーリーと、前記第１遊動プーリーの上方に固定されている固定プーリーと、前記廃棄物投入蓋に直接又は間接的に固定されている第２遊動プーリーと、架線と、前記架線を上昇及び下降させるホイストとを備え、
前記架線が、前記廃棄物投入蓋の上方の架線固定部から前記第２誘導プーリーの下側に掛け渡され、さらに前記固定プーリーの上側に掛け渡され、さらに前記第１遊動プーリーの下側に掛け渡されて前記ホイストに接続されてなるものとすることもできる。
【００１２】
このように構成することにより、上記（２）の場合と同様に、ホイストで第１遊動プーリーに掛け渡されている架線を上昇させると、まず、廃棄物投入蓋を第１遊動プーリー及び固定プーリーを介して架線によりホイストが引っ張り、廃棄物投入蓋を動かして廃棄物搬入口を閉じる動作を行う。廃棄物投入蓋が廃棄物搬入口を閉じると廃棄物投入蓋の回転動作が停止する。その後、ホイストが開閉蓋を引っ張り廃棄物投入口を開く動作を行う。これにより、この廃棄物投入装置は、焼却施設内と外気とが接することがない遮断された状態で、定量ずつ廃棄物を燃焼室に投入することができる。
【００１３】
（４）上記（１）乃至（３）のいずれかに記載の廃棄物投入装置においては、前記廃棄物投入蓋が、前記廃棄物搬入口を閉塞した傾斜角度で、回転が禁止されるように構成されてなることが好ましい。
【００１４】
このように構成することにより、前記廃棄物投入蓋が、前記廃棄物搬入口を閉塞した傾斜角度で、回転が禁止されるため、その後は、ホイストによりすみやかに開閉蓋の引っ張り動作が開始されて廃棄物投入口が開放される。
【００１５】
（５）上記（１）乃至（４）のいずれかに記載の廃棄物投入装置においては、前記開閉蓋の重量が、前記廃棄物投入蓋の重量より重いことが好ましい。
【００１６】
このように構成することにより、ホイストがまず廃棄物投入蓋を回転し、その後廃棄物投入蓋が前記廃棄物搬入口を閉塞した後に、開閉蓋の引っ張り動作を開始するという一連の動作を確実に行うようにすることができる。
【００１７】
（６）上記（１）乃至（５）のいずれかに記載の廃棄物投入装置においては、前記第１遊動プーリーの半径が前記固定プーリーの半径よりも小さいことが好ましい。
【００１８】
このように構成することにより、ホイストがまず廃棄物投入蓋を回転し、その後廃棄物投入蓋が前記廃棄物搬入口を閉塞した後に、開閉蓋の引っ張り動作を開始するという一連の動作を確実によりスムーズに行うようにすることができる。
【００１９】
（７）上記（３）に記載の廃棄物投入装置においては、前記第１遊動プーリーの半径が前記第２遊動プーリーの半径よりも小さいことが好ましい。
【００２０】
このように構成することにより、ホイストがまず廃棄物投入蓋を回転し、その後廃棄物投入蓋が前記廃棄物搬入口を閉塞した後に、開閉蓋の引っ張り動作を開始するという一連の動作を確実によりスムーズに行うようにすることができる。
【００２１】
（８）上記（１）乃至（７）のいずれかに記載の廃棄物投入装置においては、前記開閉蓋には断熱材が設けられていることが好ましい。
【００２２】
このように構成することにより、前記筐体内の温度上昇を抑制することができるので、廃棄物投入蓋に載置されている廃棄物が高熱にさらされることがなくなる。このため、小型焼却炉本体に投入される前に廃棄物が燃えたり変質したりすることがなくなる。
【００２３】
（９）上記（１）乃至（８）のいずれかに記載の廃棄物投入装置においては、
前記開閉蓋が、垂直方向に昇降する垂直昇降部と、斜めになっている前記廃棄物投入口を開放及び閉塞可能に可動する蓋部とで構成され、
これらの垂直昇降部と蓋部が一体に構成されているものとすることができる。
【００２４】
このように構成することにより、廃棄物投入口が斜めになっている小型焼却炉に対しても、上記（１）乃至（８）のいずれかに記載の廃棄物投入装置を取り付けることができる。この廃棄物投入装置は、廃棄物投入口が鉛直に近い状態の小型焼却炉に好適に用いることができる。
【００２５】
（１０）上記（１）乃至（８）のいずれかに記載の廃棄物投入装置においては、
前記開閉蓋が、垂直方向に昇降する垂直昇降部と、斜めになっている前記廃棄物投入口を開放及び閉塞可能に可動する蓋部とで構成され、
これらの垂直昇降部と蓋部が折曲可能に連結されているものとすることができる。
【００２６】
このように構成することにより、廃棄物投入口が斜めになっている小型焼却炉に対しても、上記（１）乃至（８）のいずれかに記載の廃棄物投入装置を取り付けることができる。この廃棄物投入装置は、廃棄物投入口が水平に近い状態の小型焼却炉に好適に用いることができる。
【００２７】
（１１）本発明の小型焼却炉は、焼却する廃棄物を投入する廃棄物投入口を有する小型焼却炉本体と、上記（１）乃至（１０）のいずれかに記載の廃棄物投入装置とを備えたことを特徴とする。
【００２８】
このような小型焼却炉は、上記（１）乃至（１０）のいずれかに記載の廃棄物投入装置を備えるため、焼却施設内と外気とが接することがない遮断された状態で、定量ずつ廃棄物を燃焼室に投入することができる。
【００２９】
【発明の実施の形態】
以下、図面を用いて、本発明の実施の形態を詳しく説明する。
（実施形態１）
図１は本発明の廃棄物投入装置を備える小型焼却炉の一実施形態を示す概略構成図である。また、図２（ａ）〜（ｃ）は、本発明の廃棄物投入装置の実施形態の側面の構成と動作を示す構成図である。図３は、本発明の廃棄物投入装置を上方から見た構成図である。
【００３０】
この小型焼却炉１００は、上端開口の円筒状の燃焼室１１０を備え、燃焼室１１０にはこの燃焼室１１０中心に向かって燃焼空気を噴出させる多数の噴気孔を有する複数の噴気管１２０を備え、また、燃焼室１１０内底面に燃焼空気を噴出させる噴気体１４０を備える。また、噴気管１２０と噴気体１４０に空気を供給するブロワー１３０を備える。また、図示しないが、焼却灰を取り出す残渣排出口、燃焼室の温度を検出して表示する温度計、燃焼室の温度が低下するのを防止する助燃装置などを備える。燃焼室１１０の上端開口部には煙突１５０と連通する円筒状の投入部１６０が配置され、投入部１６０の側壁には矩形状の廃棄物投入口１７０が開口している。
【００３１】
本発明の廃棄物投入装置１は、小型焼却炉１００とは別体で、小型焼却炉１００に取り付けて用いられる。本発明の廃棄物投入装置１は、小型焼却炉１００の廃棄物投入口１７０を外気から遮断するように覆い、互いに相反して開閉する２重蓋で炉内を外気と接することがないように遮断しながら廃棄物を定量ずつ投入することができるものである。なお、図１に示す廃棄物投入装置１ａは、図２に示す廃棄物投入装置１よりもプーリーが少なく、構造が簡略化されている。
【００３２】
図２（ａ）に示す廃棄物投入装置１は、小型焼却炉１００の垂直方向の外壁に外部と連通する開口部として設けられた廃棄物投入口１７０の外壁に廃棄物投入口１７０を覆うように取り付けられた箱状の筐体２を備える。この筐体２の下部の前面（図２の右側）が開口されて、廃棄物搬入口３が設けられている。筐体２の中の小型焼却炉１００外壁の廃棄物投入口１７０の両側それぞれに垂直方向に支柱４が取り付けられている。支柱４の上端には前方側へ突き出した凹形のアーム４１（図３参照）が両側の支柱４に一体に設けられている。
【００３３】
箱状の廃棄物投入蓋５が、筐体２の下方の支柱４に設けられた回転軸５１を中心にして傾斜角度変更自在に設けられている。この廃棄物投入蓋５は、矩形状の底板５２の端部に図２（ｂ）に示す上端停止位置でほぼ垂直方向になる前方板５３と両側のほぼ垂直方向の側板５４が設けられた上側と後端が開放された形状を有している。図２（ｂ）に示すように、側板５４の後端は上端停止位置でほぼ垂直方向に向くように傾斜が設けられている。
【００３４】
図２（ａ）に示すように、廃棄物投入蓋５は、常時は底板５２がほぼ水平方向を向く位置で停止するようになっており、この下端の停止位置では筐体２から手前側に突出し、廃棄物搬入口３から廃棄物を廃棄物投入蓋５の中に入れることができるようになっている。
【００３５】
図２（ｂ）に示すように、廃棄物投入蓋５の前端を回転軸５１を中心にして手前側を上昇させて傾斜させると、前板５３が垂直方向の向きになって廃棄物投入蓋５の前端が廃棄物搬入口３の上端に突き当たり、上昇が停止されるようになっている。図２（ｂ）に示す上端停止位置に廃棄物投入蓋５が配置される（突き当たる）と、廃棄物投入蓋５によって廃棄物搬入口３が閉塞されるようになっている。また、上端停止位置の傾斜角度では、廃棄物投入蓋５の中の廃棄物は自重で底板５２を滑り落ちるようになっている。
【００３６】
また、廃棄物投入口１７０を常時は閉塞している矩形状の開閉蓋６が支柱４に設けられているレール４２（図３参照）に導かれてスライド昇降可能に設けられている。開閉蓋６は、両側のレール４２に両端縁が挿入されている矩形状の昇降板６１と昇降板６１に一体化されている矩形状の重量板６２で構成されている。また、重量板６２は断熱材としての機能も発揮する。このため、筐体２内の温度上昇を抑制することができるので、廃棄物投入蓋５に載置されている廃棄物が高熱にさらされることがなくなる。このため、小型焼却炉１１０に投入される前に廃棄物が燃えたり変質したりすることがなくなる。
【００３７】
次に、駆動装置７の構成を説明する。開閉蓋６の上端に駆動装置７を構成する第１遊動プーリー７１が固定されている。また、廃棄物投入蓋５の両側の側板５４の前端部には支軸７２が設けられ、この支軸７２を中心として細長い矩形状の支持板７３の一端部が回転可能に連結されている。この支持板７３の他端部は連結アーム７４（図３参照）で相互に連結されている。この連結アーム７４には第２遊動プーリー７５が固定されている。
【００３８】
そして、第１遊動プーリー７１と第２遊動プーリー７５との間の支柱４のアーム４１に固定プーリー７６が固定されている。また、モーターを備えたホイスト７７が筐体２の上方に配置されている。チェーン等の架線７８の末端が支柱４のアーム４１の前端部に設けられた図示しないフックに固定され、その架線７８が第２遊動プーリー７５の下側に掛け渡され、次に、固定プーリー７６の上側に掛け渡され、更に第１遊動プーリー７１の下側に掛け渡され、ホイスト７７に巻き取られるようになっている。
【００３９】
また、廃棄物投入蓋５の重量よりも開閉蓋６の重量の方が重くなるように構成されている。また、第１遊動プーリー７１の半径をｒ１、固定プーリー７６の半径をｒ２、第２遊動プーリー７５の半径をｒ３とすると、ｒ１＜ｒ３、ｒ１＜ｒ２の関係を満たすように構成されている。このため、ホイストがまず廃棄物投入蓋を回転し、その後廃棄物投入蓋が前記廃棄物搬入口を閉塞した後に、開閉蓋の引っ張り動作を開始するという一連の動作を確実によりスムーズに行えるようになっている。
【００４０】
このような廃棄物投入装置１の動作について説明する。常時は、図２（ａ）に示すように、開閉蓋６は下降して廃棄物投入口１７０を閉塞している一方、廃棄物投入蓋５は下端の停止位置にあり、廃棄物搬入口３は開口している。この状態で、焼却するべき廃棄物の所定量を廃棄物投入蓋５の中に入れる。
【００４１】
次に、ホイスト７７を駆動させ、架線７８の巻き取りを開始する。架線７８がホイスト７７に巻き取られると、第１遊動プーリー７１は開閉蓋６が重いので動かず、廃棄物投入蓋５が軽いので、第２遊動プーリー７５が廃棄物投入蓋５の前端部を持ち上げながら上昇する。
【００４２】
そして、図２（ｂ）に示すように、廃棄物投入蓋５の前端が廃棄物搬入口３の上端に突き当たると、第２遊動プーリー７５の上昇が停止する。この状態では、廃棄物投入蓋５が廃棄物搬入口３を閉塞し、筐体２内部を外気から遮断する。また、廃棄物投入蓋５の底板５２は廃棄物投入口１７０の下端部に後端があり、前端に向かって持ち上がって滑り台の如く傾斜している。この状態では、側板５４の後端縁は開閉蓋６の外面に近接して廃棄物が漏れないようになっている。そのため、開閉蓋６によって廃棄物投入蓋５の中の廃棄物が廃棄物投入口１７０の中へ滑り落ちることが禁止されている状態となる。
【００４３】
更に、ホイスト７７で架線７８を巻き取り続けると、廃棄物投入蓋５はそれ以上動かないため、第２遊動プーリー７５が固定され、図２（ｃ）に示すように、今度は第１遊動プーリー７１が開閉蓋６を伴って上昇する。開閉蓋６が上昇すると廃棄物投入口１７０が開放され、廃棄物投入蓋５に入れられていた廃棄物は廃棄物投入蓋５の底板５２の傾斜により自重で廃棄物投入口１７０の中へ落下し、燃焼室１１０内に投入される。
【００４４】
これにより、廃棄物を廃棄物投入蓋５に入れるときには廃棄物投入口１７０は開閉蓋６によって閉塞され、小型焼却炉１００内は外気から遮断されている。また、廃棄物を廃棄物投入蓋５から廃棄物投入口１７０へ投入するときには筐体２の廃棄物搬入口３は廃棄物投入蓋５によって閉じられ、外部から遮断されている。そのため、この廃棄物投入装置１は、焼却施設内と外気とが接することがない遮断された状態で、定量ずつ廃棄物を燃焼室に投入することができる。
【００４５】
また、廃棄物を投入した後は、ホイスト７７を逆転させると巻き取られていた架線７８が緩み、重量の重い開閉蓋６が下降して図２（ｂ）に示すように廃棄物投入口１７０を閉塞する。更に、架線７８を緩めると、図２（ａ）に示すように廃棄物投入蓋５の前端が下降し、下端位置に配置され、廃棄物搬入口３が開口する。ホイスト７７で架線７８の巻き取りと緩みを行うことによって、廃棄物を定量ずつ投入することができる。
【００４６】
また、第１遊動プーリー７１と第２遊動プーリー７５は、上下に昇降する遊動プーリーなので、開閉蓋６や廃棄物投入蓋５の重量の半分の負荷で持ち上げることができ、ホイスト７７の荷重負荷を軽減することができる。
【００４７】
更に、所定の廃棄物を廃棄物投入蓋５に入れてホイスト７７のスイッチを入れるだけで自動的に一連の投入動作が完了するため、ホイストを制御するための複雑な制御回路が不要であり、操作も簡単である。例えばリミットスイッチを用いて電気的に動作させる場合と比較して、構造がシンプルで、メンテナンスが簡単であり、維持費も安い。また、ホイストも１個ですむ。
【００４８】
（実施形態２）
次に、図４を参照しながら本発明の廃棄物投入装置の実施形態２について説明する。図４（ａ）は実施形態２の廃棄物投入装置の概略構造を示す側面図、図４（ｂ）は開閉蓋の連結構造の概略を示す断面図である。
【００４９】
この廃棄物投入装置１ｂは、廃棄物投入口１７０が水平からやや斜め上方に開口している小型焼却炉１００に取り付けるために適した構造となっている。実施形態１と異なるのは、開閉蓋の構造とそれに伴う廃棄物投入口の構造である。
【００５０】
この廃棄物投入装置１ｂは、小型焼却炉１００の廃棄物投入口１７０を外気から遮断及び開放可能に可動する開閉蓋６ｂと、収納した廃棄物を廃棄物投入口１７０に投入できるように傾斜角度変更自在に設けられた廃棄物投入蓋５と、廃棄物投入口１７０の周囲を覆い、廃棄物投入蓋５の傾斜角度によって開放及び閉塞される廃棄物搬入口３を備え、廃棄物投入蓋５によって廃棄物搬入口３が閉塞されたときに廃棄物投入口１７０を外気から遮断する筐体２を備える。また、駆動装置７は実施形態１と同じであり、廃棄物搬入口３を開放している廃棄物投入蓋５を廃棄物搬入口３を閉塞すると共に収納している廃棄物を破棄物投入口１７０に投入できる傾斜角度となるようにように駆動した後、廃棄物投入口１７０を閉塞している開閉蓋６ｂを廃棄物投入口１７０を開放させるように駆動する。
【００５１】
実施形態２の廃棄物投入装置１ｂでは、開閉蓋６ｂが支柱４のレールに案内されて垂直方向に昇降する矩形板状の垂直昇降部６３と、廃棄物投入口１７０を閉塞、開放する矩形板状の蓋部６４とが図３（ｂ）に示すようなヒンジ６５等で折曲自在に連結されている構造となっている。第１遊動プーリー７１は垂直昇降部６３の上端に固定されている。また、廃棄物投入口１７０の周壁面には蓋部６４を受けるローラ６６が設置されている。
【００５２】
図４（ａ）は、ホイスト７７を駆動して廃棄物投入蓋５の前端を持ち上げ、廃棄物投入口１７０に向かって傾斜した廃棄物投入蓋５が筐体２の搬入口３を閉塞し、開閉蓋６ｂが廃棄物投入口１７０を閉塞している状態を示している。この状態から更にホイストによる架線７８の巻き取りを続けると、垂直昇降部６３がホイストで第１遊動プーリー７１を介して垂直方向に持ち上げられる。同時に蓋部６４はその連結部６５が持ち上げられ、ローラ６６の上を滑りながら、廃棄物投入口１７０を開放する。廃棄物投入蓋５の中の廃棄物を止めていた垂直昇降部６３が持ち上げられ、廃棄物投入口１７０が開放されると、廃棄物投入蓋５の中の廃棄物は廃棄物投入口１７０の中へ滑り落ちる。
【００５３】
この第２実施形態の廃棄物投入装置１ｂは、廃棄物を廃棄物投入蓋５に入れるときには廃棄物投入口１７０は開閉蓋６ｂによって閉塞され、小型焼却炉１００内は外気から遮断されている。また、廃棄物を廃棄物投入蓋５から廃棄物投入口１７０へ投入するときには筐体２の廃棄物搬入口３は廃棄物投入蓋５によって閉じられ、外部から遮断されている。そのため、この廃棄物投入装置１ｂは、焼却施設内と外気とが接することがない遮断された状態で、定量ずつ廃棄物を燃焼室に投入することができる。
【００５４】
（実施形態３）
次に、図５（ａ）を参照しながら本発明の廃棄物投入装置の実施形態３について説明する。図５（ａ）は小型焼却炉の廃棄物投入口と開閉蓋の構造を示す概略構成図である。図５（ａ）では、廃棄物投入蓋、筐体は省略されている。
【００５５】
この小型焼却炉１００の廃棄物投入口１７０は、垂直方向からやや傾斜して斜め上方を向いた構造となっている。実施形態３の廃棄物投入装置１ｃの開閉蓋６ｃは、垂直方向のレールに沿って昇降し、廃棄物投入蓋の中の廃棄物を受け止める機能を有する垂直昇降部６７と、斜めの廃棄物投入口１７０を閉塞及び開放する蓋部６８とが一体となるとともに側面が逆三角形の構造となっている。第１遊動プーリー７１は開閉蓋６ｃの上端に固定されている。駆動装置７は実施形態１と同様の構成である。
【００５６】
ホイスト７７を駆動して開閉蓋６ｃを垂直方向に持ち上げると、垂直昇降部６７がレールに沿って上昇し、それと共に蓋部６８が廃棄物投入口１７０を開放し、図示しない廃棄物投入蓋の中の廃棄物が廃棄物投入口１７０の中へ滑り落ちる。
【００５７】
（実施形態４）
次に、図５（ｂ）を参照しながら本発明の廃棄物投入装置の実施形態４について説明する。図５（ｂ）は、小型焼却炉の廃棄物投入口と開閉蓋の構造を示す概略構成図である。図５（ｂ）では、廃棄物投入蓋、筐体は省略されている。
【００５８】
この小型焼却炉１００の廃棄物投入口１７０は、垂直方向からやや傾斜して例えば３０゜の角度で斜め上方を向いた構造となっている。この実施形態の廃棄物投入装置１ｄは、常時は廃棄物投入口１７０を閉塞している開閉蓋６ｄが、傾斜している廃棄物投入口１７０が設けられた壁体の外面に沿って斜めに昇降するようになっている。具体的には、駆動装置７ｄは、廃棄物投入口１７０が設けられた壁面の上方に第２固定プーリー７９を設け、第１遊動プーリー７１が固定されている開閉蓋６ｄを第２固定プーリー７９を介してホイスト７７で昇降させる構成となっている。
【００５９】
ホイスト７７を駆動して架線７８を巻き取ると、開閉蓋６ｄが廃棄物投入口１７０が設けられた壁体の外面に沿って斜めに上昇し、それと共に開閉蓋６ｄが廃棄物投入口１７０を開放し、図示しない廃棄物投入蓋５の中の廃棄物が廃棄物投入口１７０の中へ滑り落ちる。
【００６０】
（実施形態５）
次に、図５（ｃ）を参照しながら本発明の廃棄物投入装置の実施形態５について説明する。図５（ｃ）は、小型焼却炉の廃棄物投入口と開閉蓋の構造を示す概略構成図である。
【００６１】
この小型焼却炉１００の廃棄物投入口１７０は、垂直方向からやや傾斜して斜め上方を向いた構造となっている。廃棄物投入装置１ｅ自体は開閉蓋６ｅの構造を除き実施形態１と同様である。この装置の開閉蓋６ｅは、斜めになっている廃棄物投入口１７０と垂直方向に沿った平板状の開閉蓋本体６９とを気密的に連絡する枠状体６９ｅを開閉蓋本体６９に取り付けた構造を有する。
【００６２】
図５（ｃ）に示すように、廃棄物投入蓋５が持ち上げられて廃棄物投入口１７０に向かって傾斜し、開閉蓋６ｅがまだ動いていない状態では、廃棄物投入口１７０は枠状体６９ｅと開閉蓋本体６９とで閉塞され、炉内は外部から遮断されている。開閉蓋６ｅが持ち上げられると、廃棄物投入口１７０を開放し、廃棄物投入蓋５の中の廃棄物が廃棄物投入口１７０の中へ滑り落ちる。
【００６３】
本発明は、上記実施形態に限定されるものではない。例えば、上記廃棄物投入装置の駆動装置は、２つの遊動プーリーを用いていたが、図１に示した廃棄物投入装置１ａのように、負荷の少ない廃棄物投入蓋の遊動プーリーは省略可能である。また、上記説明では機構的に廃棄物投入蓋の次に開閉蓋を動かすようにしていたが、電気的な制御で行ってもよい。また、小型焼却炉の構造は、説明したものに限られず、いずれの小型焼却炉でもよい。
【００６４】
【発明の効果】
本発明の廃棄物投入装置は、焼却施設内と外気とが接することがない遮断された状態で、定量ずつ廃棄物を燃焼室に投入することができる。
【００６５】
また、本発明の小型焼却炉は、かかる廃棄物投入装置を備えるので、焼却施設内と外気とが接することがない遮断された状態で、定量ずつ廃棄物を燃焼室に投入することができる。
【図面の簡単な説明】
【図１】本発明の廃棄物投入装置を備える小型焼却炉の一実施形態を示す概略構成図である。
【図２】（ａ）〜（ｃ）は、本発明の廃棄物投入装置の実施形態の側面の構成と動作を示す概略構成図である。
【図３】本発明の廃棄物投入装置を上方から見た構成図である。
【図４】（ａ）は実施形態２の廃棄物投入装置の概略構造を示す側面図、（ｂ）は開閉蓋の連結構造の概略を示す断面図である。
【図５】（ａ）〜（ｃ）は、本発明の廃棄物投入装置の実施形態３〜５の概略構成を示す構成図である。
【符号の説明】
１、１ｂ、１ｃ、１ｄ　　　　　　　　　　　　廃棄物投入装置
２　　　　　　　　　　　　　　　　　　　　　筐体
３　　　　　　　　　　　　　　　　　　　　　廃棄物搬入口
４　　　　　　　　　　　　　　　　　　　　　支柱
５　　　　　　　　　　　　　　　　　　　　　廃棄物投入蓋
６　　　　　　　　　　　　　　　　　　　　　開閉蓋
７　　　　　　　　　　　　　　　　　　　　　駆動装置
７１　　　　　　　　　　　　　　　　　　　　第１遊動プーリー
７５　　　　　　　　　　　　　　　　　　　　第２遊動プーリー
７６　　　　　　　　　　　　　　　　　　　　固定プーリー
７７　　　　　　　　　　　　　　　　　　　　ホイスト
【図１】
2004093030.tif 000003
【図２】
2004093030.tif 000004
【図３】
2004093030.tif 000005
【図４】
2004093030.tif 000006
【図５】
2004093030.tif 000007